(57)【要約】【課題】  構造が簡単であり、基板に取付けられたケーブルが曲げ伸ばしされるときに、端子に負担がかかって千切れたりすることを防ぐことができるケーブルの基板への取付構造を提供する。【解決手段】  ＦＦＣケーブル、ＦＰＣケーブル、平行ワイヤー等のケーブル２の端子３を基板１に取付けるようにしたケーブルの基板への取付構造において、基板１に取付けられるケーブル２の基板側端部に断面略円弧状のホルダー４が貼着され、ケーブル２が折り曲がった際に、ホルダー４によってケーブル２を保護することによって、ケーブル２における基板１に取付けた端子３に負担がかからないように構成した。【選択図】  図１
2007266523.tif 000002
【特許請求の範囲】
【請求項１】
ＦＦＣケーブル、ＦＰＣケーブル、平行ワイヤー等のケーブルの端子を基板に取付けるようにしたケーブルの基板への取付構造において、前記基板に取付けられるケーブルの基板側端部に断面略円弧状のホルダーが貼着され、前記ケーブルが折り曲がった際に、前記ホルダーによって前記ケーブルを保護することによって、前記ケーブルにおける前記基板に取付けた端子に負担がかからないように構成したことを特徴とするケーブルの基板への取付構造。
【請求項２】
ＦＦＣケーブル、ＦＰＣケーブル、平行ワイヤー等のケーブルの端子を基板に取付けるようにしたケーブルの基板への取付構造において、前記ケーブルの端部近傍箇所と前記基板の上面との間にホルダーが設けられ、このホルダーによって前記ケーブルを保護することによって、前記ケーブルが折り曲がった際に、前記ケーブルにおける前記基板に取付けた端子に負担がかからないように構成したことを特徴とするケーブルの基板への取付構造。
【請求項３】
前記ホルダーが平面視略楕円形の筒状に形成され、この筒状のホルダーの内側に前記ケーブルが配置されると共に、前記ホルダーは前記基板に取り付け固定されている請求項２に記載のケーブルの基板への取付構造。
【発明の詳細な説明】
【技術分野】
【０００１】
本発明は、ＦＦＣケーブル、ＦＰＣケーブル、平行ワイヤー等のケーブルの端子を基板に取付けるようにしたケーブルの基板への取付構造に関するものである。
【背景技術】
【０００２】
従来のこの種のケーブルの基板への取付構造は、端子を基板に取付けた状態で、ケーブルが曲げ伸ばしされるときに、端子に負担がかかり切れてしまうという問題があった。
【０００３】
第１の従来技術を図３に示す。この従来のリード線の固定構造は、図３に示すように、メイン基板１０１に接続されたリード線１０２の近傍箇所に、中央部分が開設され、この開設部１０３の上下略中央部に左右から内側に向けて支持片１０４、１０４が突出形成された基板１０５を立設して、この基板１０５の開設部１０３に支持片１０４、１０４を巻き込むようにリード線１０２を略Ｓ字形に通し、この基板１０５でリード線１０２を立設状態に保持して固定した構造とした。（例えば、特許文献１参照）。
【０００４】
ところが、これにおいては、リード線１０２を基板１０５の開設部１０３に支持片１０４、１０４を巻き込むようにリード線１０２を略Ｓ字形に通す必要があり、この作業に手間がかかって面倒であるという問題があった。
【０００５】
第２の従来技術を図４（ａ）（ｂ）に示す。この従来のリード線は、図４（ａ）（ｂ）に示すように、平型ケーブル２０１の端部の一面に導体露出部２０１ｄを設け、導体露出部２０１ｄの裏面に補強板２０２を一部分のみ接着し、この接着部分の端部位置でケーブル２０１を折曲げ、補強板２０２の非接着部分２０２ａがケーブル２０１の折曲げ部より突出した部分を設け、この突出部２０２ｂを押してコネクタへケーブルを挿入し接続する。（例えば、特許文献２参照）。
【０００６】
ところが、これにおいては、平型ケーブル２０１を折り曲げ易くするものではなかった。
【０００７】
第３の従来技術を図５（ａ）（ｂ）に示す。この従来の電線固定具は、図５（ａ）（ｂ）に示すように、折り曲げ可能な可撓部３１０と、可撓部３１０の両側に設けられるものであって電線を挟持するための挟持部３２０、３３０と、可撓部３１０を折り曲げることによって対向する挟持部３２０、３３０を互いに係止すると共に、この電線固定具を支持物に固定するための係止手段とを具備し、挟持部３２０、３３０が樹脂で成型され、凹部３９０を具備するものである。（例えば、特許文献３参照）。
【０００８】
ところが、これにおいては、電線固定具は、電線Ｘ、Ｙを固定するものであって、電線Ｘ、Ｙを折り曲げ難いという問題があった。
【０００９】
第４の従来技術を図６（ａ）（ｂ）に示す。この従来のケーブルの取付け構造は、図６（ａ）（ｂ）に示すように、テレビ受信機のキャビネット等の平板材４０１の表面に、一対のレール部４０４、４０４を設け、一対のレール部４０４、４０４に嵌入される回路基板４０２の両サイドに形成された略コ字形の切欠部４０５、４０５に、ＦＦＣケーブル、ＦＰＣケーブル、平行ワイヤー等のケーブル４０３を懸架した状態で嵌入し、回路基板４０２を一対のレール部４０４、４０４に嵌入して、ケーブル４０３を回路基板４０２と平板材４０１の表面との間に配設し、更に回路基板４０２の両サイドの略コ字形の切欠部４０５、４０５から外部に露出させて回路基板４０２にケーブル４０３を取付けるようにした。（例えば、特許文献４参照）
ところが、これにおいては、曲げにくいケーブル４０３を回路基板４０２の切欠部４０５、４０５に入れなくてはならないために、この作業が面倒であった。また、回路基板４０２に切欠部４０５、４０５を形成しなくてはならないために、回路基板４０２のスペースが小さくなるという問題があった。
【特許文献１】特開平１１−１４５６４４号公報
【特許文献２】実開平５−３１２８６号公報
【特許文献３】特開２００３−２８４２２４号公報
【特許文献４】実用新案登録第３０４３７６８号広報
【発明の開示】
【発明が解決しようとする課題】
【００１０】
本発明は、上記従来の問題に鑑みてなされたものであって、構造が簡単であり、基板に取付けられたケーブルが曲げ伸ばしされるときに、端子に負担がかかって千切れたりすることを防ぐことができるケーブルの基板への取付構造を提供することを目的としている。
【課題を解決するための手段】
【００１１】
本発明は、上記課題を解決するために提案されたものであって、請求項１に記載の発明は、ＦＦＣケーブル、ＦＰＣケーブル、平行ワイヤー等のケーブルの端子を基板に取付けるようにしたケーブルの基板への取付構造において、前記基板に取付けられるケーブルの基板側端部に断面略円弧状のホルダーが貼着され、前記ケーブルが折り曲がった際に、前記ホルダーによって前記ケーブルを保護することによって、前記ケーブルにおける前記基板に取付けた端子に負担がかからないように構成したことを特徴としている。
【００１２】
請求項２に記載の発明は、ＦＦＣケーブル、ＦＰＣケーブル、平行ワイヤー等のケーブルの端子を基板に取付けるようにしたケーブルの基板への取付構造において、前記ケーブルの端部近傍箇所と前記基板の上面との間にホルダーが設けられ、このホルダーによって前記ケーブルを保護することによって、前記ケーブルが折り曲がった際に、前記ケーブルにおける前記基板に取付けた端子に負担がかからないように構成したことを特徴としている。
【００１３】
請求項３に記載の発明は、請求項２に記載の発明において、前記ホルダーが平面視略楕円形の筒状に形成され、この筒状のホルダーの内側に前記ケーブルが配置されると共に、前記ホルダーは前記基板に取り付け固定されている。
【発明の効果】
【００１４】
請求項１に記載の発明によれば、基板に取付けられるケーブルの基板側端部に断面略円弧状のホルダーが貼着され、このホルダーによってケーブルが保護されているから、ケーブルが折り曲げられた際に、ホルダーの上縁部分でケーブルが曲がることになり、ケーブルの端子に負担がかかって千切れたりすることを防ぐことができる。
【００１５】
請求項２に記載の発明によれば、ケーブルの端部近傍箇所と基板の上面との間に、ホルダーが設けられているから、ケーブルは折り曲げられた際に、このホルダーの上縁部分で折り曲げられることになるから、端子に負担がかかって千切れたりすることを防ぐことができる。
【００１６】
請求項３に記載の発明によれば、ホルダーが平面視略楕円形の筒状に形成され、このホルダーの内側にケーブルが配置されているから、ケーブルが折れ曲がった際に、このホルダーの上縁にケーブルが接するから、このケーブルがホルダーに接した部分から折り曲げられることにより、端子に負担がかかって千切れたりすることを防ぐことができる。また、ホルダーは基板に取り付け固定されているから、ホルダーが外れることを防ぐことができる。
【発明を実施するための最良の形態】
【００１７】
以下、本発明に係るケーブルの基板への取付構造について、図を参照しつつ説明する。
【００１８】
図１は本発明のケーブルの基板への取付構造の第１実施形態を示す一部断面した斜視図である。
【００１９】
この第１実施形態のケーブルの基板への固定構造は、図１に示すように、基板１にケーブル２の端子３が挿入された状態で取付けられている。ケーブル２には、その基板側側端部の一面に断面略円弧状のホルダー４が貼着されている。
【００２０】
従って、この第１実施形態によれば、ホルダー４によって平行ワイヤーからなるケーブル２が保護されているから、ケーブル２が折り曲げられた際に、ホルダー４の上縁部分でケーブル２が曲がることになり、ケーブル２の端子３に負担がかかって千切れたりすることを防ぐことができる。
【００２１】
図２は第２実施形態のケーブルの基板への取付構造の一部断面した斜視図である。
【００２２】
この第２実施形態のケーブルの基板への取付構造は、図２に示すように、基板１に平行ワイヤーからなるケーブル２の端子３が挿入された状態で取付けられている。基板１には、平面視略楕円形状のホルダー５が取付けられており、このホルダー５の内側にケーブル２が配置されている。
【００２３】
従って、この第２実施形態によれば、ケーブル２が折れ曲がった際に、ホルダー５の上縁にケーブル２が接するから、このケーブル２がホルダー５に接した部分から折り曲げられることにより、端子３に負担がかかって千切れたりすることを防ぐことができる。また、ホルダー５は基板１に取り付け固定されているから、ホルダー５が外れることを防ぐことができる。
【００２４】
尚、上記した実施形態では、ケーブル２として平行ワイヤーについて説明したが、これに限らず、ＦＦＣケーブル、ＦＰＣケーブル等のケーブルも適用できることは勿論である。また、第２実施形態では、平面視略楕円形のホルダー５について説明したが、これに限らず、例えば、平面視四辺形等の形状のホルダーも適用できることは勿論である。
【図面の簡単な説明】
【００２５】
【図１】本発明のケーブルの基板への取付構造の第１実施形態を示す一部断面した斜視図である。
【図２】第２実施形態のケーブルの基板への取付構造の一部断面した斜視図である。
【図３】従来のリード線の固定構造を示す一部断面した正面図である。
【図４】従来のリード線を示し、（ａ）はその斜視図、（ｂ）はリード線を機器に組み込んだ状態を示す断面図である。
【図５】従来の電線固定具を示し、（ａ）はその斜視図、（ｂ）はその固定具で電線を固定した状態の斜視図である。
【図６】従来のケーブルの取付け構造を示し、（ａ）はその斜視図、（ｂ）はその平面図である。
【符号の説明】
【００２６】
１      基板
２      ケーブル
３      端子
４      ホルダー
５      ホルダー
【図１】
2007266523.tif 000003
【図２】
2007266523.tif 000004
【図３】
2007266523.tif 000005
【図４】
2007266523.tif 000006
【図５】
2007266523.tif 000007
【図６】
2007266523.tif 000008